(57)【特許請求の範囲】
【請求項１】
シャーシ(１)のカバー装着面(11)に被さる矩形の金属製カバー(４)は、平行な２側縁にカバー面に対して後方に屈曲した掛かり爪(５)及び曲がり片(７)を具え、他の２側縁に後方に屈曲しシャーシ(１)のカバー装着面(11)と直交する両側面(12)(12)を押圧するバネ作用を有する押さえ片(６)(６)を具え、シャーシ(１)はカバー(４)の掛かり爪(５)との対応位置に、該爪の侵入を許す切欠部(２)を有し、両側面(12)(12)には、カバー(４)の押さえ片(６)が引っ掛かる凸部(３)又は凹部(31)が設けられ、カバー(４)の掛かり爪(５)をシャーシ(１)の切欠部(２)に嵌め、該爪の基端を中心にカバー(４)を回転させてシャーシ(１)のカバー装着面(11)に被せ、押さえ片(６)をシャーシの凸部(３)又は凹部(31)に引っ掛けて軟係止し、曲がり片(７)をシャーシ(１)の切欠部(２)とは反対側の側縁に被せているシャーシへの金属カバーの取付け構造。
【請求項２】
カバー(４)の掛かり爪(５)は屈曲基端の首部(51)と該首部より後方の掛かり片(52)からなり、掛かり片(52)は首部(51)より両側に拡大して掛かり爪(５)は略Ｔ字状を成し、シャーシ(１)の切欠部(２)はカバー装着面(11)から直交して後方に屈曲した板面(13)上に、前記掛かり爪(５)の掛かり片(52)が余裕のある状態に嵌まる貫通孔(21)とシャーシ(１)のカバー装着面(11)の縁部に該貫通孔(21)に連続して開設され掛かり爪(５)の首部(51)が緊密に嵌まる凹部(22)とから成り、シャーシ(１)にカバー(４)を装着した状態で、掛かり爪(５)は、前記板面(13)より内側に納まることを特徴とするシャーシへの金属カバーの取付け構造。
【発明の詳細な説明】
【０００１】
【発明の属する分野】
本発明は、電気機器等のシャーシに金属製カバーを装着するためのカバーの取付け構造に関する。
【０００２】
【従来の技術】
図８は従来の斯種シャーシ(１)とカバー(４)を示している。
シャーシ(１)の横長矩形のカバー装着面(11)に対応する大きさのカバー(４)は、上縁及び左右の側縁に掛かり部(８)を後方に突設し、下縁に後方への曲がり片(７)を有している。
各掛かり部(８)は、切り起こしにより前方内側に向く爪部(81)を有している。シャーシ(１)のカバー装着面(11)の上縁から後方に屈曲した板面(13)及び両側面(12)(12)には、カバー(４)の掛かり部(８)との対応位置に引っ掛かり孔(17)が開設されている。
シャーシ(１)のカバー装着面(11)に対してカバー(４)を正面から押し込んで、掛かり部(８)の爪部(81)を弾性変形させ、シャーシ(１)の引っ掛かり孔(17)で弾性復帰させて、図９に示す如く、該爪部(81)を引っ掛かり孔(17)に引っ掛けてカバー(４)をシャーシ(１)に取り付けるのである。
【０００３】
【発明が解決しようとする課題】
上記カバーの取付け構造では、カバー(４)を外す必要が生じた場合、掛かり部(８)とシャーシ(１)との間にマイナスドライバーを無理に突っ込んで掛かり部(８)を外側に起こして塑性変形させることによって、爪部(81)と引っ掛かり孔(17)の係合を外さねばならず面倒である。外したカバー(４)を再びシャーシ(１)に装着するには、塑性変形させた掛かり部(８)を原形に戻しておかねばならず、一旦無理に曲げて塑性変形させた掛かり部(８)を正確に元形に戻すことは困難であり、引っ掛かり孔(17)との係合が緩すぎたり、逆に緊すぎたりする問題がある。又、掛かり部(８)を無理に曲げたり、曲げを矯正するときにシャーシ(１)や掛かり部(８)に傷がつく問題がある。
本発明は上記問題を解決できるシャーシに対する金属カバーの取付け構造を明らかにするものである。
【０００４】
【課題を解決する手段】
本発明のシャーシへの金属カバーの取付け構造は、シャーシ(１)のカバー装着面(11)に被さる矩形の金属製カバー(４)は、平行な２側縁にカバー面に対して後方に屈曲した掛かり爪(５)及び曲がり片(７)を具え、他の２側縁に後方に突設されシャーシ(１)のカバー装着面(11)と直交する両側面(12)(12)を押圧するバネ作用を有する押さえ片(６)(６)を有している。
シャーシ(１)はカバー(４)の掛かり爪(５)との対応位置に、該爪の侵入を許す切欠部(２)を有し、両側面(12)(12)には、カバー(４)の押さえ片(６)が係合する凸部(３)を設けている。
【０００５】
【作用及び効果】
シャーシ(１)のカバー装着面(11)にカバー(４)を装着するには、カバー(４)の掛かり爪(５)をシャーシ(１)の切欠部(２)に嵌め、該爪の基端を中心にカバー(４)を回転させてシャーシ(１)のカバー装着面(11)に被せる。これによって、押さえ片(６)は弾性変形してシャーシの凸部(３)を越え、越えたところで弾性復帰して凸部(３)に対して軟係止状態となる。曲がり片(７)はシャーシ(１)の切欠部(２)とは反対側の側縁に被さる。
押さえ片(６)は、カバー(４)がシャーシ(１)のカバー装着面(11)に対して垂直方向に不用意に外れること及びカバー(４)の掛かり爪(５)を突設した端縁に沿う方向に外れることを防止出来、掛かり爪(５)と曲がり片(７)は、カバー(４)が押さえ片(６)を突設した端縁に沿う方向に外れることを防止できる。
【０００６】
カバー(４)を外すには、曲がり片(７)側を手前に引っ張って掛かり爪(５)の基端を中心にカバー(４)を前記とは逆方向に回転させる。
押さえ片(６)は弾性変形して凸部(３)から外れるから、後は掛かり爪(５)をシャーシ(１)の切欠部(２)から外せば可い。
カバー(４)を外す際、カバー(４)の掛かり爪(５)、押さえ片(６)及び曲がり片(７)の何れをも塑性変形させる必要はないため、従来の様に、カバー(４)上の掛かり部(８)を塑性変形させた場合の様な問題は一切生じない。
【０００７】
シャーシ(１)上の凸部(３)を凹部(31)に代え、カバー(４)の押さえ片(６)を該凹部(31)に軟係止することも可能であり、凸部(３)の場合と同様の効果を奏する。
【０００８】
【発明の実施の形態】
図１は、デジタルビデオレコーダの上面開口の金属製扁平筺状シャーシ(１)と、該シャーシ(１)の後面であるカバー装着面(11)に装着する金属製カバー(４)を示している。該シャーシ(１)の横長矩形のカバー装着面(11)には、丸型、角型等の多数の端子用孔(14)が開設されている。
デジタルビデオレコーダは、機種や使用によって、必要な端子用孔(14)の個数や位置が異なるが、実施例の場合、シャーシ(１)は共通であって、端子用孔(14)は全ての機種や仕様に対応できる様に開設され、不要の端子用孔(14)は、後記するカバー(４)で塞ぐ様にしている。
【０００９】
シャーシ(１)の両側面(12)(12)にカバー装着面(11)に接近して外側に膨らむ複数の凸部(３)が形成されている。
実施例では凸部(３)は各側面(12)に上下に２つ設けられ、該凸部(３)は縦長突条であり、プレス加工にて側面(12)を部分的に外側に膨らませて形成されている。
【００１０】
シャーシ(１)にはカバー装着面(11)の上縁に連続して該上縁の全長に亘って後方へ延びる板面(13)が屈曲形成され、該板面(13)の両端寄りに２つの切欠部(２)が開設されている。
切欠部(２)は、後記するカバー(４)の掛かり爪(５)の掛かり片(52)より少し大きい横長いの貫通孔(21)と、該貫通孔(21)の長手方向の中央部に連続しカバー装着面(11)の上縁から下向きに浅く抉れた凹部(22)とからなる。
【００１１】
シャーシ(１)の底面(15)に、カバー装着面(11)の全長に亘って凹み段部(16)が形成されている。
【００１２】
カバー(４)は、前記シャーシ(１)の端子用孔群の内、不要の孔を塞いで孔を通じての外部からの電磁波の侵入、内部からの電磁波の漏出防止する共に、端子の名称や用途を印刷表示するためめのものである。
【００１３】
カバー(４)は前記シャーシ(１)のカバー装着面(11)に対応する大きさに形成され、前記シャーシ(１)の端子用孔群に対して、必要な孔との対応位置に端子用孔(42)が開設され、上縁の両側寄りにカバー面に対して後方に屈曲した掛かり爪(５)を有している。
掛かり爪(５)は屈曲基端の首部(51)と該首部より後方の掛かり片(52)から成る。該掛かり片(52)は首部(51)より両側に拡大しており、掛かり爪(５)は略Ｔ字状を呈している。
【００１４】
掛かり爪(５)の首部(51)の両側は下側に浅く抉れた抉り部(41)(41)となっており、首部(51)の突出長さは抉り部(41)の深さと同程度であり、掛かり爪(５)の掛かり片(52)上面の高さは、カバー(４)の上縁と同じ或いは該上縁より僅か高い程度である。
掛かり爪(５)の掛かり片(52)は前記シャーシ(１)の切欠部(２)の貫通孔(21)に対して少し余裕のある状態に嵌まる大きさであり、首部(51)は切欠部(２)の凹部(22)に左右方向にガタなく嵌まる幅に形成されている。
首部(51)が凹部(22)に嵌まった状態では、掛かり片(52)の上面は、シャーシ(１)上端の板面(13)より少し低くなり、板面(13)より外側に突出しない。
【００１５】
カバー(４)の両側縁は全長に亘って短く後方に屈曲し、該屈曲片(43)の上部と下部に、前記シャーシ側面(12)の凸部(３)に係合可能な押さえ片(６)を突設している。
押さえ片(６)は、内側に略Ｖ字に屈曲した当たり部(61)を有しており、金属板特有のバネ性を有している。
【００１６】
カバー(４)の下縁には全長に亘って後方に短く屈曲した曲がり片(７)を有しており、曲がり片(７)の先端側は全長に亘って外側に緩やかに屈曲して案内部(71)を形成している。
【００１７】
然して、シャーシ(１)のカバー装着面(11)にカバー(４)を装着するには、図３Ａに示す如く、シャーシ(１)のカバー装着面(11)に対してカバー(４)を斜めにし、図３Ｂに示す如く、カバー(４)の掛かり爪(５)をシャーシ切欠部(２)の貫通孔(21)に嵌める。該掛かり爪(５)の首部(51)を切欠部(２)の凹部(22)に嵌めた状態で首部(51)を中心にカバー(４)を回転させてシャーシ(１)のカバー装着面(11)に被せる。これによって、押さえ片(６)は弾性変形してシャーシの凸部(３)を越え、越えたところで弾性復帰して凸部(３)に対して軟係止状態となる。曲がり片(７)はシャーシ(１)の下縁からシャーシ底面(15)の凹み段部(16)に被さる。
【００１８】
掛かり爪(５)は、首部(51)がカバー装着面(11)の凹部(22)に緊密に嵌まって左右方向と下向きのずれを防止し、首部(51)より左右に拡大している掛かり片(52)はカバー装着面(11)の裏面の凹部(22)近傍に引っ掻かって、カバー(４)の外れ止めとなる。
押さえ片(６)は、カバー(４)の左右方向の移動を阻止し、又、カバー(４)の外れ止めとなる。
曲がり片(７)はカバー(４)が上向きにずれることを防止できる。
【００１９】
掛かり爪(５)の首部(51)が凹部(22)に嵌まった状態では、掛かり片(52)の上面は、シャーシ(１)上端の板面(13)より少し低くなり、板面(13)より外側に突出しないため、該板面(13)上に別個の上カバー(図示せず)を被る際、該カバーが板面(13)から浮き上がることはない。
【００２０】
カバー(４)を外すには、曲がり片(７)側を手前に引っ張って掛かり爪(５)の基端を中心にカバー(４)を前記とは逆方向に回転させる。
押さえ片(６)は弾性変形して凸部(３)から外れるから、後は掛かり爪(５)をシャーシ(１)の切欠部(２)から外せば可い。
カバー(４)を外す際、カバー(４)の掛かり爪(５)、押さえ片(６)及び曲がり片(７)の何れをも塑性変形させる必要はないため、従来の様に、カバー(４)上の掛かり部(８)を塑性変形させた場合の様な問題は一切生じない。
【００２１】
シャーシ(１)上の凸部(３)に代えて、図５に示す如く、シャーシ側面(12)に凹部(31)(実施例では貫通スリット孔である)に代え、カバー(４)の押さえ片(６)を該凹部(31)に軟係止することも可能であり、凸部(３)の場合と同様の効果を奏する。
【００２２】
図６に示す如く、カバー(４)上の掛かり爪(５)をＬ字状に形成しても、シャーシ(１)のカバー装着面(11)の裏面の凹部(22)近傍に引っ掛かるため、Ｔ字状掛かり爪(５)と同様の効果を奏する。
【００２３】
図７に示す如く、掛かり爪(５)を単純なＩ字状に形成しも、掛かり爪(５)自体に前方への外れ止め効果はないものの、その他の効果は前記同様である。
【００２４】
本発明は、上記実施例の構成に限定されることはなく、特許請求の範囲に記載の範囲で種々の変形が可能である。
【図面の簡単な説明】
【図１】シャーシとカバーの斜面図である。
【図２】カバーの背面側からの斜面図である。
【図３】カバーの取付け手順の説明図である。
【図４】シャーシ側面の凸部とカバーの押さえ片の係合状態の断面図である。
【図５】シャーシ側面の凹部とカバーり押さえ片の係合状態の断面図である。
【図６】掛かり爪をＬ字状にした他の実施例の斜面図である。
【図７】掛かり爪をＩ字状にした他の実施例の斜面図である。
【図８】従来例のシャーシとカバーの斜面図である。
【図９】同上の引っ掛かり孔と掛かり部の係合状態の断面図である。
【符号の説明】
(１)  シャーシ
(11)  カバー装着面
(２)  切欠部
(21)  貫通孔
(22)  凹部
(３)  凸部
(４)  カバー
(５)  掛かり爪
(６)  押さえ片
(７)  曲がり片
【図１】
0003906064.tif 000002
【図２】
0003906064.tif 000003
【図３】
0003906064.tif 000004
【図４】
0003906064.tif 000005
【図５】
0003906064.tif 000006
【図６】
0003906064.tif 000007
【図７】
0003906064.tif 000008
【図８】
0003906064.tif 000009
【図９】
0003906064.tif 000010